【手続補正書】
【提出日】平成17年7月11日(2005.7.11)
【手続補正１】
【補正対象書類名】明細書
【補正対象項目名】特許請求の範囲
【補正方法】変更
【補正の内容】
【特許請求の範囲】
【請求項１】
通信ネットワークを介して映像を配信する映像配信装置であって、
異なる視点からの複数の映像を取得する映像取得手段と、
前記映像ごとに、その映像に含まれる内容を解析し、解析結果を内容情報として生成する映像解析手段と、
前記各内容情報と視聴者より通知された嗜好情報とに基づいて、映像の内容と視聴者の嗜好との適合度を判定し、適合度の高い映像を前記複数の映像の中から決定し、配信する配信映像マッチング手段と
を備えることを特徴とする映像配信装置。
【請求項２】
前記嗜好情報は、被写体に対する視聴者の嗜好度を示す情報を含み、
前記映像解析手段は、画面上に表示される被写体を特定する情報を含む内容情報を生成し、
前記配信映像マッチング手段は、前記嗜好度の高い被写体が表示される映像を配信する
ことを特徴とする請求項１記載の映像配信装置。
【請求項３】
前記映像解析手段は、前記被写体が表示される画面上の位置または領域を表す情報を含む内容情報を生成し、
前記配信映像マッチング手段は、前記嗜好度の高い被写体が表示される画面上の位置または領域に基づいて配信する映像を決定する
ことを特徴とする請求項２記載の映像配信装置。
【請求項４】
前記映像配信装置は、さらに、前記複数の映像それぞれに対応する付加情報を予め記憶している付加情報記憶手段を備え、
前記配信映像マッチング手段は、前記複数の映像の中から選択して決定した映像に対応する付加情報を前記付加情報記憶手段から読み出し、当該映像とともに配信する
ことを特徴とする請求項１記載の映像配信装置。
【請求項５】
通信ネットワークを介して映像を配信する映像配信装置であって、
異なる視点からの複数の映像を取得する映像取得手段と、
前記映像ごとに、その映像に含まれる内容を解析し、解析結果を内容情報として生成する映像解析手段と、
前記複数の映像について、前記各映像および前記各内容情報を多重化して配信する映像多重化手段と
を備えることを特徴とする映像配信装置。
【請求項６】
前記映像解析手段は、前記映像に含まれる被写体を同定する情報と、その被写体が画面上に表示されているか否かを表す情報とを含んだ前記内容情報を生成し、
前記映像多重化手段は、前記内容情報を各映像に多重化して配信する
ことを特徴とする請求項５記載の映像配信装置。
【請求項７】
前記映像解析手段は、前記被写体が表示される画面上の位置または領域を表す情報を含んだ前記内容情報を生成する
ことを特徴とする請求項６記載の映像配信装置。
【請求項８】
前記映像解析手段は、あらかじめ定められた記述子を用いて前記内容情報を記述する
ことを特徴とする請求項５記載の映像配信装置。
【請求項９】
前記映像解析手段は、さらに、
前記映像に含まれる前記被写体の状態を計測する計測手段を備え、
前記映像解析手段は、前記計測手段の計測結果に基づいて前記内容情報を生成する
ことを特徴とする請求項５記載の映像配信装置。
【請求項１０】
前記映像解析手段は、前記内容情報を映像のフレームごとに生成し、
前記映像多重化手段は、前記内容情報を前記映像の各フレームに多重化して配信する
ことを特徴とする請求項５記載の映像配信装置。
【請求項１１】
請求項５に記載の映像配信装置から配信される複数の映像を受信する映像受信装置であって、
被写体に対する視聴者の嗜好度を示す嗜好情報の入力を受け付ける嗜好情報受付手段と、
受け付けた嗜好情報と請求項５に記載の各内容情報とに基づいて、映像の内容と視聴者の嗜好との適合度を判定することにより、受信した映像の中から適合度の高い映像を選択する選択手段と、
選択された前記映像を表示する表示手段と
を備えることを特徴とする映像受信装置。
【請求項１２】
請求項７に記載の映像配信装置から配信される複数の映像を受信する映像受信装置であって、
被写体に対する視聴者の嗜好度を示す嗜好情報の入力を受け付ける嗜好情報受付手段と、
請求項７記載の各内容情報と前記嗜好情報とに基づいて、嗜好度の高い前記被写体が、より画面の中央に表示される映像を前記複数の映像から選択する選択手段と、
選択された前記映像を表示する表示手段と
を備えることを特徴とする映像受信装置。
【請求項１３】
請求項７に記載の映像配信装置から配信される複数の映像を受信する映像受信装置であって、
被写体に対する視聴者の嗜好度を示す嗜好情報の入力を受け付ける嗜好情報受付手段と、
請求項７に記載の各内容情報と前記嗜好情報とに基づいて、嗜好度の高い前記被写体が画面内により大きく表示される映像を前記複数の映像から選択する選択手段と、
選択された前記映像を表示する表示手段と
を備えることを特徴とする映像受信装置。
【請求項１４】
請求項１０に記載の映像配信装置から配信される複数の映像を受信する映像受信装置であって、
被写体に対する視聴者の嗜好度を示す嗜好情報の入力を受け付ける嗜好情報受付手段と、
あらかじめ定められた間隔で、その直前に生成された前記各内容情報と、入力を受け付けた前記嗜好情報との適合度を判定して、受信した映像の中から表示すべき映像を選択する選択手段と、
選択された前記映像を表示する表示手段と
を備えることを特徴とする映像受信装置。
【請求項１５】
通信ネットワークを介して映像を配信する映像配信方法であって、
異なる視点からの複数の映像を取得する映像取得ステップと、
前記映像ごとに、その映像に含まれる内容を解析し、解析結果を内容情報として生成する映像解析ステップと、
前記各内容情報と視聴者より通知された嗜好情報とに基づいて、映像の内容と視聴者の嗜好との適合度を判定し、適合度の高い映像を前記複数の映像の中から決定し、配信する配信映像マッチングステップと
を含むことを特徴とする映像配信方法。
【請求項１６】
請求項５に記載の映像配信装置から配信される複数の映像を受信する映像受信方法であって、
被写体に対する視聴者の嗜好度を示す嗜好情報の入力を受け付ける嗜好情報受付ステップと、
受け付けた嗜好情報と請求項５に記載の各内容情報とに基づいて、映像の内容と視聴者の嗜好との適合度を判定することにより、受信した映像の中から適合度の高い映像を選択する選択ステップと、
選択された前記映像を表示する表示ステップと
を含むことを特徴とする映像受信方法。
【請求項１７】
通信ネットワークを介して映像を配信する映像配信装置に用いられるプログラムであって、
請求項１５記載のステップをコンピュータに実行させる
ことを特徴とするプログラム。
【請求項１８】
通信ネットワークを介して映像を配信する映像配信システムであって、
映像配信装置と映像受信装置とから構成され、
前記映像配信装置は、
異なる視点からの複数の映像を取得する映像取得手段と、
前記映像ごとに、その映像に含まれる内容を解析し、解析結果を内容情報として生成する映像解析手段と、
前記各内容情報と視聴者より通知された嗜好情報とに基づいて、映像の内容と視聴者の嗜好との適合度を判定し、適合度の高い映像を前記複数の映像の中から決定し、配信する配信映像マッチング手段と
を備え、
前記映像受信装置は、
前記映像配信装置に嗜好情報を送信する送信手段と、
前記映像配信装置から配信されてきた適合度の高い映像を受信する受信手段と、
受信された前記映像を表示する表示手段とを備える
ことを特徴とする映像配信システム。
【請求項１９】
通信ネットワークを介して映像を配信する映像配信システムであって、
映像配信装置と映像受信装置とから構成され、
前記映像配信装置は、
異なる視点からの複数の映像を取得する映像取得手段と、
前記映像ごとに、その映像に含まれる内容を解析し、解析結果を内容情報として生成する映像解析手段と、
前記複数の映像について、前記各映像および前記各内容情報を多重化して配信する映像多重化手段とを備え、
前記映像受信装置は、
前記映像配信装置から配信される複数の映像についての映像および内容情報を受信する受信手段と、
被写体に対する視聴者の嗜好度を示す嗜好情報の入力を受け付ける嗜好情報受付手段と、
受け付けた嗜好情報と前記受信手段が受信した内容情報とに基づいて、映像の内容と視聴者の嗜好との適合度を判定することにより、受信した複数の映像の中から適合度の高い映像を選択する選択手段と、
選択された前記映像を表示する表示手段とを備える
ことを特徴とする映像配信システム。
【請求項２０】
前記映像解析手段は、画面上に表示される複数の被写体それぞれを特定する情報を含む内容情報を生成し、
前記嗜好情報は、複数の被写体それぞれに対する視聴者の嗜好度を示す情報を含み、
前記選択手段は、前記複数の被写体の中から前記嗜好度の高い被写体が表示される映像を選択する
ことを特徴とする請求項１９記載の映像配信システム。
【請求項２１】
前記映像配信装置は、さらに、前記複数の映像それぞれに対応する付加情報をあらかじめ記憶している付加情報記憶手段を備え、
前記映像多重化手段は、前記複数の映像それぞれに対応する付加情報を前記付加情報記憶手段から読み出し、前記映像および前記内容情報とともに多重化して配信し、
前記選択手段は、前記映像の選択に加えて、当該映像に対応する付加情報をも選択し、
前記表示手段は、前記映像とともに前記選択手段によって選択された付加情報を表示する
ことを特徴とする請求項１９記載の映像配信システム。